(57)【要約】【課題】ペットの安全性を確保するため、首輪を発光させる場合には、電源部の重量が大きくなるという問題や、リードと首輪との接続部が破損することが多いという問題があった。また、リードを発光させる場合は、実際のペットの位置を認識できないという問題や、ペットの噛み付きにより発光体への電線が切断されるという問題があった。【解決手段】光透過性チューブの内部に側面発光型の光ファイバーと紐とを挿通して形成した１本の光ロープによりループ部とリード部を一体として形成し、光ロープの端部にはチューブ結束手段と把手部を備え、更にこの把手部に紐の一端部を固定し、かつこの他端部を前記ループ部分で光透過性チューブから抜き出させ、首輪または胴輪と接続可能としたペット用引き綱具により上記問題を解決した。【選択図】図１
2013240283.tif 000002
【特許請求の範囲】
【請求項１】
光透過性チューブの内部に側面発光型の光ファイバーと紐とを挿通して形成した１本の光ロープを途中で折り返し、
この折り返した部分でループを形成すると共に、
この光ロープの非ループ部にある一端部には前記光ファイバーに光を供給する光源を内蔵する把手部を備え、
更にこの把手部に前記紐の一端部を固定し、
かつこの紐の他端部を前記ループ部分で光透過性チューブから抜き出させ、首輪または胴輪と接続可能としたペット用引き綱具。
【請求項２】
前記光ロープの他端部には、
前記ループの径を調整するチューブ結束手段を設けたことを特徴とする請求項１に記載のペット用引き綱具。
【請求項３】
前記チューブ結束手段が、
前記ループの形状を維持する第１結束具と、この第１結束具の後方で光ロープの他端部と固定され、前記第１結束具との相対距離を変更することで前記ループの径を調整する第２結束具とからなる請求項２に記載のペット用引き綱具。
【請求項４】
前記チューブ結束手段の内部に、
前記光ロープの一端部にのぞむ反射部材を設けたことを特徴とする請求項１から請求項３に記載のペット用引き綱具。
【請求項５】
前記紐が、強度紐であることを特徴とする請求項１から請求項４に記載のペット用引き綱具。
【発明の詳細な説明】
【技術分野】
【０００１】
本発明は、側面発光型の光ファイバーを内部に挿通させた一本の光ロープにより、首にゆるく巻くループとペットの首輪をつなぐリードとを一体的に構成したペット用引き綱具に関するものである。
【背景技術】
【０００２】
近年の生活様式の変化により、犬の散歩を夜間に行う人が増えてきている。また、舗装道路の増加により、その散歩を車両が通行する道路で行うことが多くなり、これらに伴ってその犬がそれらの車両に接触する事故が増大し、その安全性を確保することが難しくなっている。これは、自転車や自動車等の運転手の目線から低い位置にいる犬を瞬間的に認識することが困難であるからであり、特に中型犬以下の犬の場合はその存在を認識させることがより困難になる。
【０００３】
従来はペットの安全性を確保するため、ペットの首輪に発光素子を装着してペットの存在を知らしめてペットの安全性を確保する方法が取られてきた（特許文献１）。また、首輪でなくリードを発光させる方法もあった（特許文献２）。
【０００４】
しかし首輪を発光させる場合には、首輪それ自体に発光装置に加えて電源を有するか、リード部から電源を供給する必要がある。電源を有する場合は、発光装置に比較して電源部の重量が大きくなり特に中型犬以下の小さい犬やねこに、この発光する首輪を使用することが困難であった。他方電源をリードから供給する場合は、首輪とリードを電気的に接続する必要があり、ペットが動き回ることによりその接続部が破損することが多かった。
【０００５】
また、リードのみを発光させる場合は、リードの先にいるペットの位置を認識することができないという問題点があると共に、ＬＥＤなどの光源をリード内に埋め込む方式の場合は、ペットがリードに噛み付いた場合にその光源への電線が切断される虞があった。
【先行技術文献】
【特許文献】
【０００６】
【特許文献１】特開２００３−１５８９３９号公報
【特許文献２】実用新案登録第３０９９６２５号公報
【発明の概要】
【発明が解決しようとする課題】
【０００７】
従来方式の問題点は、ペットの安全を確保する方法として挙げた従来技術において、首輪を発光させる場合には、その首輪の重量が重くなり中型犬以下の犬やねこに使用することが困難であった点、もしくは首輪とリードとの結合部が破損することが多かったという点であり、リードを発光させる場合には、リードの先にいるペットの位置を認識することができず、その安全の確保が困難であった点、ペットがリードに噛み付いた場合に発光を継続することが不可能であった点である。よって本発明が解決しようとする課題は、これらの問題を解決するペット用引き綱具を供給することである。
【課題を解決するための手段】
【０００８】
本発明は、上記課題を解決すべく次のような技術的手段を講じた。
すなわち、請求項１記載の発明は、光透過性チューブの内部に側面発光型の光ファイバーと紐とを挿通して形成した１本の光ロープを途中で折り返し、この折り返した部分でループを形成すると共に、この光ロープの非ループ部にある一端部には前記光ファイバーに光を供給する光源を内蔵する把手部を備え、更にこの把手部に前記紐の一端部を固定し、かつこの紐の他端部を前記ループ部分で光透過性チューブから抜き出させ、首輪または胴輪と接続可能としたペット用引き綱具である。
【０００９】
また、請求項２記載の発明は、前記光ロープの他端部には、前記ループの径を調整するチューブ結束手段を設けたことを特徴とする請求項１に記載のペット用引き綱具である。
【００１０】
また、請求項３記載の発明は、前記チューブ結束手段が、前記ループの形状を維持する第１結束具と、この第１結束具の後方で光ロープの他端部と固定され、前記第１結束具との相対距離を変更することで前記ループの径を調整する第２結束具とからなる請求項２に記載のペット用引き綱具である。
【００１１】
また、請求項４記載の発明は、前記チューブ結束手段の内部に、前記光ロープの他端部にのぞむ反射部材を設けたことを特徴とする請求項１から請求項３に記載のペット用引き綱具である。
【００１２】
また、請求項５記載の発明は、前記紐が、強度紐であることを特徴とする請求項１から請求項４に記載のペット用引き綱具である。
【発明の効果】
【００１３】
請求項１に記載の発明によれば、側面発光型の光ファイバーを挿通させた１本の光ロープを途中で折り返し、その折り返した部分でループを形成することにより、側面発光型の光ファイバーにより形成するループ部とリード部とを線光源として発光させながら、ペットの首に巻くループ部の重量を軽くでき、中型犬以下の犬やねこに使用することが可能となると共に、リード部とループ部が一体的で連結部がないことから、引き綱具として耐久性が向上する。
【００１４】
また、光ロープの端部を把手部内の光源にのぞませていることにより、首を通すループ部やリード部に光源を配置する必要がなくなり、ペットの噛付きにより導線を断線するようなことがなく、その点でも耐久性が向上する。
【００１５】
加えて光ロープには、光透過性チューブの内部に挿通した紐をループ部で光透過性チューブから抜き出させ、紐の端部を首輪等と接続可能としていることにより、光ファイバーにペットの動作による衝撃が作用することがなくなり、光ロープの耐久性が更に向上する。
【００１６】
請求項２に記載の発明によれば、請求項１に記載の発明の効果に加えて、光ロープのループを形成する他端部には、前記ループの径を調整するチューブ結束手段を設けたことにより、強度紐があってもループの径の調整を容易にすることができ、更にループ部はペットの首の周りにゆるく嵌めるよう調整することが可能で、体毛の長いペットの場合、ループ部を毛の外に露出するように巻きつければ、ループ部の光が毛に邪魔されないという効果が期待できる。
【００１７】
請求項３に記載の発明によれば、請求項２に記載の発明の効果に加えて、チューブ結束手段が、ループの形状を維持する第１結束具と、第１結束具との相対距離を変更することでループの径を調整する第２結束具とからなることにより、容易にループ径を調整することができると共に、ループを構成しない余剰部分の光ロープを、ペットの邪魔にならないように位置させることができる。加えて、ペット側からはそのループの径を変更することができない。
【００１８】
請求項４に記載の発明によれば、請求項１から請求項３に記載の発明の効果に加えて、チューブ結束手段の内部に光ロープの他端部にのぞむように反射部材を設けたことにより、一度透過した光を無駄なく利用でき、特にループ部分の光ファイバーの発光強度を高めることができる。
【００１９】
請求項５に記載の発明によれば、請求項１から請求項４に記載の発明の効果に加えて、前記紐が強度を有していることにより、光ファイバーの破断等がなくなり耐久性が更に向上する。
【図面の簡単な説明】
【００２０】
【図１】第一実施形態に係るペット用引き綱具の全体斜視図である。
【図２】図１のペット用引き綱具のループの径の変更した場合の図である。
【図３】図１のペット用引き綱具の結束具周辺の部分拡大図である。
【図４】第二実施形態の結束具周辺の部分拡大図である。
【図５】第三実施形態の結束具周辺の部分拡大図である。
【図６】ペット用引き綱具の把手部の部分拡大図である。
【図７】第一実施形態に係るペット用引き綱具の使用図である。
【図８】第四実施形態に係るペット用引き綱具の全体斜視図である。
【図９】第五実施形態に係るペット用引き綱具の全体斜視図である。
【発明を実施するための形態】
【００２１】
上記技術思想に基づいて具体的に構成された実施の形態について以下に図面を参照しつ
つ説明する。
【００２２】
図１は第一実施形態に係るペット用引き綱具１の全体構成を斜視図として示したものであり、図２はそのペット用引き綱具１のループ部３１の大きさを変更した場合を示した図、図３はそのペット用引き綱具１の結束具周辺を部分拡大図である。図３は結束具を２分割してその上部を取り外した状態を示し、図３において右側がペット用引き綱具の使用者が握る把手部２がある方向、左側がループ部３１がある方向である。
【００２３】
本実施形態に係るペット用引き綱具１は、一本の光ロープ３と、把手部２により構成される。光ロープ３は、ループ部３１とリード部３２とからなり、全体を伸ばすと約１．５ｍの長さになる。また光ロープ３は、透明な樹脂製の光透過性チューブ３ａの内部に１本の側面発光型のプラスチック光ファイバー３ｂと１本の強度紐３ｃを挿通して形成する。側面発光型のプラスチック光ファイバー３ｂのクラッド材料にはフッ素樹脂を、コア材料には特殊アクリル樹脂を採用し、側面からの発光輝度を高めている。ただし、プラスチック光ファイバー３ｂの材料はこれに限定されるものではなく、耐久性等の観点からコア材料として例えば完全フッ素化ポリマー、ポリカーボネート、ポリスチレン、含重水素ポリマーなどを用いたものも考えられる。強度紐３ｂは、布製あるいは樹脂製の軽量な紐部材であり、ペットが急に走り出すなどの衝撃が加わっても破断することない十分な強度を確保したものである。本実施形態に係る光ロープ３は、強度紐３ｃにより耐久性を確保し、光ロープ３の中にある側面発光型の光ファイバー３ｂがペットの動作による衝撃等により切断されるのを防止している。
【００２４】
ループ部３１は、１本の光ロープを途中で折り返し、この折り返した部分で形成される。光ロープ３の端部の１つにはループの径を調整するチューブ結束手段を有する。本実施形態にかかるチューブ結束手段は以下のような構成である。即ちループ部３１の形状を維持する第１結束具４と、この第１結束具４の後方で光ロープ３の他端部と固定した第２結束具５とを備える構成である。第１結束具４の後方とは、第１結束具４から見てペット用引き綱具の使用者が握る把手部２がある方向を言う。
【００２５】
第１結束具４は、光ロープ３を挟み込む２つの光ロープ用溝部を有する。これらの溝部の断面は半円形状である。図３において下方に位置する溝部へは右方の第２結束具５から光ロープ３を導入し、第１結束具４内においてこの光ロープ３から強度紐３ｃを抜き出した後、光透過性チューブ３ａと側面発光型の光ファイバー３ｂとからなる光ロープ３を左方のループ部３１へ導出する。下方の溝部に接続する紐用溝部を通して、強度紐３ｃはループ部３１の内側へ導出され、その端部にフック７を設けることでペット６の首輪８等に接続可能となる。第１結束具４の下方溝部に導入または導出される光ロープ３は、第１結束具４とは相対的に動作しないように固定する必要があり、溝部は光ロープ３の径よりも小さい径としたり、または固定のための突出部を溝部表面に形成したりする。図３において上方に位置する溝部へは、左方のループ部３１から光ロープ３を導入すると共に、右方の第２結束具５へ光ロープ３を導出する。この上方に位置する溝部と光ロープ３とはループの径を調整するためにその溝の軸方向へ相対的に動作する必要がある。よって溝部の径は光ロープ３の径よりも若干大きい径となっている。加えて、２つの光ロープ用溝部は、右方から左方へ向けて、即ち第２結束具５がある方向からループ部３１がある方向へ向けて、その相対距離が開くように構成する。このように構成することで、上方に位置する溝部と光ロープ３との間に摩擦が生じ、ペットの動作などによってみだりにループ部３１の径が拡大するのを防止できる。
【００２６】
第２結束具５も、第１結束具４と同様光ロープ３を挟み込む２つの光ロープ用溝部を有する。ただし第２結束具５の溝部は以下のような構成となる。図３において上方に位置する溝部へは左方の第１結束具４からの光ロープ３を導入し、光ロープ３と第２結束具５とが相対的に動作しないように固定する。固定方法は第１結束具４で採用した方法と同様の方法である。そして第２結束具５内部の上方溝部の奥側に光ロープ３の端部の一つにのぞむように反射部材９を設ける。本実施形態において、耐久性等を考慮して反射部材９はプラスチックにアルミ蒸着をしたものとした。図３において下方に位置する溝部へは右方の把手部２からの光ロープ３を導入すると共に、左方の第１結束部４へ光ロープ３を導出する。この下方に位置する溝部と光ロープ３とはループの径を調整するためにその溝の軸方向へ相対的に動作する必要がある。よって溝部の径は光ロープ３の径よりも若干大きい径となっている。
【００２７】
上記構成によりループの径を調整する方法について図２により説明する。図２（ａ）がループの径が大きい状態を示す図であり、図２（ｂ）がループの径が小さい状態を示す図である。（ａ）図のようにループの径が大きい場合は、第１結束具４と第２結束具の相対距離が小さくなる。この状態から第１結束具４と第２結束具５をそれぞれ手で把持し、相対距離が大きくなるように第２結束具５を把手部２に向けて動かすと、ループ部３１を形成していた光ロープ３の一部が第２結束具に引っ張られ、（ｂ）図のようにループの径を小さくできる。
【００２８】
（ｂ）図のようにループの径が小さい場合は、ループ部３１の光ロープ３と第１結束具４とをそれぞれ手で把持し、ループ部３１の光ロープ３を引っ張ると、（ａ）図のようにループの径を大きくできる。なおこのようにループの径を変更調整した場合であっても、第１結束具４から強度紐３ｃを導出しているので、強度紐３ｃの端部の位置は影響を受けない。
【００２９】
側面発光型の光ファイバー３ｂを挿通させた１本の光ロープ３を折り返し、この折り返した部分でループを形成することにより、側面発光型の光ファイバー３ｂにより形成するループ部３１とリード部３２とを線光源として発光させながら、ペットの首に巻くループ部３１の重量を軽くでき、中型犬以下の犬やねこに使用することが可能となると共に、リード部３２とループ部３１が一体的で連結部がないことから、引き綱具として耐久性が向上する。
【００３０】
また、光ロープ３の端部を把手部内の光源２２にのぞませていることにより、首を通すループ部３１やリード部３２に光源を配置する必要がなくなり、ペットの噛付きにより導線を断線するようなことがなく、その点でも耐久性が向上する。
【００３１】
加えて光ロープ３が、ループの径を調整するチューブ結束手段を有すると共に、光透過性チューブ３ａの内部に挿通した強度紐３ｃをループ部３１で光透過性チューブ３ａから抜き出させ、強度紐３ｃの端部で首輪等と接続可能としていることにより、光ファイバー３ｂにペット６の動作による衝撃が作用することがなく耐久性が更に向上すると共に、強度紐３ｃがあってもループの径の調整を容易にすることができ、更にループ部３１はペット６の首の周りにゆるく嵌めるよう調整することが可能で、体毛の長いペットの場合、ループ部３１を毛の外に露出するように巻きつければ、ループ部３１の光が毛に邪魔されないという効果が期待できる。
【００３２】
チューブ結束手段が、ループの形状を維持する第１結束具４と、第１結束具４との相対距離を変更することでループの径を調整する第２結束具５とからなることにより、容易にループ径を調整することができると共に、ループ部３１を構成しない余剰部分の光ロープ３を、ペットの邪魔にならないように位置させることができる。加えて、ペット側からはそのループの径を変更することができない。
【００３３】
チューブ結束手段である第２結束具５の内部に光ロープ３の他端部にのぞむように反射部材９を設けたことにより、一度透過した光を無駄なく利用でき、特にループ部分３１の光ファイバー３ｂの発光強度を高めることができる。
【００３４】
図４に第二実施形態の結束具周辺の部分拡大図を、図５に第三実施形態の結束具周辺の部分拡大図を示す。内部構造は第一実施形態の結束具４・５と同様である。結束具４・５は、通常プラスチックの射出成型により製作する。その場合に製作のしやすさと商品の多様化を考慮して、結束具外部の形状を変更した。第二実施形態の結束具は、円筒構造体を結合した構成であることにより、引っかかり部分が多くなり使用者が容易に結束具を移動させることができる。また第三実施形態の結束具は、その中央部にスケルトンや異なる色合いの材料を用いてファッション性を高めることが可能である。
【００３５】
なお把手部２については、光ロープ３が結合する端部と反対側の端部にストラップを設け、使用者が手首に通すことで使用者が把手部２から一時的に手を離しても、ペット６が逃げ出すのを防止できると共に把手部２の脱落を防止できる。
【００３６】
図６は、本発明の第一実施形態に係るペット用引き綱具１の把手部２の構造を示したものである。把手部２は使用者が握りやすいように厚さが２ｃｍ、長さ１５ｃｍ、幅５ｃｍ程度の大きさで、長さ方向に湾曲した形状とし、硬質プラスチックにより製作する。ただし、形状や材質はこれに限定されるものではなく、例えば透明の樹脂により外周部を製作することにより、スケルトン構造にしてファッション性を加えたり、凹凸を設けて使用者がより強固に把持部２を把持することが可能である。把持部２は内部に電源となる電池２４と、その電池２４からの電源により発光するＬＥＤライトの光源２２と、その光源２２の点灯を制御する制御部２３を設けると共に、光源２２からの光を良好に受けるように光ロープ３の一端部、即ち光ロープ３の内部の光ファイバー３ｂの端部が光源２２にのぞむように把手部２に固定されている。
【００３７】
光ロープ３と把手部２は、光ロープ３が破損した場合にそのロープ部分のみを交換するために、把手部２に着脱自在に固定する。第一実施形態においては、光ロープ３内の強度紐３ｃを把手部２内部に設けた２つの紐固定用円柱２５に巻きまわし、強度紐３ｃの端部に設けた結び目を、２つの紐固定用円柱の間を通過しない大きさにすることで、光ロープ３と把手部２が固定される。
【００３８】
図７は第一実施形態に係るペット用引き綱具１の使用方法を示した図である。まず引き綱具１の使用者は、ペット６の犬の首に光ロープ３を巻きまわし、第１結束具４と第２結束具５により、ループ部３１の大きさを調整する。そして第１結束具４から導出した強度紐３ｃの端部に設けたフックをペット６の首輪に接続する。
【００３９】
使用者は、把手部２に設けた制御部２３に信号を与えるスイッチ２１を操作することにより、電池２４から電気の供給を受け光源２２を点灯させる。光源２２はＬＥＤ（Light Emitting Diode）により構成し、青色の光を点滅させるようにする場合が多いが、使用者の嗜好に合わせて黄色や赤色の光のＬＥＤを光源２２とする場合もあり、また点滅でなく点灯させたままにすることも可能である。また電池２４について充電可能な二次電池を用いた場合は、電池２４にかかるランニングコストを下げることが可能となる。
【００４０】
上記のように光源２２のＬＥＤを点滅させ光ロープ３を発光させることによりペット６を夜間に安全に散歩させることができる。
【００４１】
図８には、第四実施形態に係るペット用引き綱具の全体斜視図を示す。第四実施形態に係るペット用引き綱具は、ループ部３１の大きさが固定されている。即ちループ部３１に位置する光ロープ３の端部が、第１結束具４の内部においてその軸方向に相対的に動作しない。
【００４２】
図９には、第五実施形態に係るペット用引き綱具の全体斜視図を示す。第五実施形態に係るペット用引き綱具は、ループ部３１にある光ローブ３の端部にチューブ結束手段としてクリップ２６を設ける。このクリップ２６により光ロープ３の任意の位置に光ロープ３の端部を固定できるので、簡易な方法でループ部３１の大きさを調整できる。
【符号の説明】
【００４３】
１  ペット用引き綱具
２  把手部
３  光ロープ
３ａ  光透過性チューブ
３ｂ  側面発光型の光ファイバー
３ｃ  強度紐
４  第１結束具
５  第２結束具
６  ペット
７  フック
８  首輪
９  反射部材
２１  スイッチ
２２  光源
２３  制御部
２４  電池
２５  紐固定用円柱
２６  クリップ
３１  ループ部
３２  リード部
【図１】
2013240283.tif 000003
【図２】
2013240283.tif 000004
【図３】
2013240283.tif 000005
【図４】
2013240283.tif 000006
【図５】
2013240283.tif 000007
【図６】
2013240283.tif 000008
【図７】
2013240283.tif 000009
【図８】
2013240283.tif 000010
【図９】
2013240283.tif 000011